(57)【要約】      （修正有）【課題】クライアントの手やその他の部位に切った髪の毛が降りかからないフェイスシールドを提供する。【解決手段】フェイスシールドは、顔の前面を覆う透明、半透明の合成樹脂製である面板１の幅方向の一方の下側に柄部２が延伸された構成とする。柄部２と面板１を一体成型にすることができるが、別体とすることもできる。すなわち、柄部２の先端に縦方向のスライド溝を設けた保持部材１２を形成し、面板１の幅方向の一方の端部にスライド溝に嵌合するスライド凸部を形成し、スライド溝にスライド凸部を嵌合させてスライドさせることによって、柄部２に面板１を保持させることができる構成とすることができる。柄部２の先端に、柄部２に対して直角に顔の幅の長さ伸びるフレーム１１を設け、面板保持部材１２を、フレーム１１の両端に設けておく。この状態で、面板１を、湾曲させた状態の弾性を利用して、両端の面板保持部材１２に係止される構成とすることもできる。【選択図】図４
0003228101.tif 000002
【実用新案登録請求の範囲】
【請求項１】
顔の前面を覆う透明、半透明の面板と、
前記面板の幅方向の一方端の下側に延びる柄部と、
を備えたことを特徴とする理容・美容用フェイスシールド。
【請求項２】
前記柄部の先端に縦方向のスライド溝を設けた保持部材を形成し、前記面板の幅方向の一方の端部に前記スライド溝に嵌合するスライド凸部を形成し、前記スライド溝にスライド凸部を嵌合させてスライドさせることによって、柄部に面板を保持させた請求項１に記載の理容・美容用フェイスシールド。
【請求項３】
前記柄部の先端に、前記柄部に対して直角に顔の幅の長さ伸びるフレームと、
前記フレームの両端に設けられた、面板を係止する面板係止部材と、
湾曲させた状態の弾性を利用して、前記両端の面板係止部材に係止される前記面板と、
を備えた請求項１に記載の理容・美容用フェイスシールド。
【考案の詳細な説明】
【技術分野】
【０００１】
本考案はフェイスシールドに関し、特に、理容・美容用のフェイスシールドに関するものである。
【背景技術】
【０００２】
理容業、あるいは美容業は、医療従事者と同様、クライアントに直接顔を近づけることから作業者自身がマスクを装着することを必要とする業種である。ただし、クライアント自身がマスクをすると、サービスを享受することができないことから概ねマスクを付けないことが前提となる。
【０００３】
ところが、特定の部位、特に前髪を処理するときには、切った前髪が顔に降りかかる場合があり、作業者は注意を要する場面である。
【０００４】
このような状態を回避する目的で、図５に示すようなフェイスシールドをクライアントに持ってもらうことがある。すなわち、顔面に沿った形状の透明の面板１０の下端に取り付けられた柄２０をクライアントが持って、顔を覆うようにした状態で前髪を処理するようになっている。
【０００５】
一方、近年のコロナウィルスの感染拡大の状況下で、医療従事者はもちろん、単純な接客業務であってもフェイスシールドを装着して、サービスを提供することがある。この場合は両手が使用できる状態を維持する必要上、口あるいは顔前面にあてた湾曲した面板を、紐、ゴム等をその両端に固定し、耳あるいは後頭部に回して固定する構成が採用される。
【先行技術文献】
【非特許文献】
【０００６】
なし
【考案の概要】
【考案が解決しようとする課題】
【０００７】
上記のようにクライアントがフェイスシールドを持つ場合、クライアントの手が顔の中央下の顎の辺りに位置することになり、切った前髪は面板に邪魔されて顔には降りかからないものの、上記顎の下辺りに柄を持った手があり、その手に降りかかることがある。
【０００８】
一方で、上記のような理容上あるいは美容上の作業は一時的にフェイスシールドが必要となるだけで、当該フェイスシールドを、紐やゴムで頭に固定することは全く不要である。
【０００９】
本考案は上記従来の事情に鑑みて提案されたものであって、クライアントの手やその他の部位に切った髪の毛が降りかからないフェイスシールドを提供することを目的とする。
【課題を解決するための手段】
【００１０】
本考案は、理容・美容用のフェイスシールドに関する。
【００１１】
面板は、顔の前面を覆う透明、半透明の合成樹脂製である。前記面板の幅方向の一方の下側に柄部が延伸された構成とする。
【００１２】
前記において、柄部と面板を一体成型にすることができるが、以下のように、別体とすることができる。すなわち、柄部の先端に縦方向のスライド溝を設けた保持部材を形成し、前記面板の幅方向の一方の端部に前記スライド溝に嵌合するスライド凸部を形成し、前記スライド溝にスライド凸部を嵌合させてスライドさせることによって、柄部に面板を保持させることができる構成とすることができる。
【００１３】
前記柄部の先端に、前記柄部に対して直角に顔の幅の長さ伸びるフレームを設け、面板係止部材を、前記フレームの両端に設けておく。この状態で、面板を、湾曲させた状態の弾性を利用して、前記両端の面板係止部材に係止される構成とすることもできる。
【考案の効果】
【００１４】
クライアントが、上記の柄部を持って、面板を顔に当てた状態で、理容師・美容師が前髪を切ると、切った前髪は面板を滑り落ちて、床やクライアントを覆うカットクロス上に落ちることになり、クライアントの身体には降りかからないことになる。
【図面の簡単な説明】
【００１５】
【図１】本考案の１実施の形態。
【図２】本考案の他の実施の形態。
【図３】図２のＡ−Ａ断面図。
【図４】本考案の更に別の実施形態。
【図５】従来のフェイスシールド。
【考案を実施するための形態】
【００１６】
図１は本考案の１実施の形態を示す図である。
【００１７】
面板１の横方向の一方の端（多くの場合右端）が下方に柄状に延伸され、柄部２を形成する。
【００１８】
理容師、美容師が前髪を切るとき、クライアントは、前記柄２を持って面板１を顔にあてた状態を保つのであるが、このとき、面板１の上端が額の生え際に当たるようにし、それ以外の部分は顔から多少離れるように顔前面に当てる。このとき、柄２を持った手は顔の一方に寄っているので、切った前髪はカットクロス上に落ち、手の甲には降りかからないことになる。
【００１９】
上記面板１と柄部２は、図１に示すように一体成型であってもよいが、以下の構成にすると、双方着脱可能となる。
【００２０】
すなわち、図２、図３に示すように、縦方向のスライド溝２１を設けた面板保持部材１２を柄部２の先端に一体に設けておく。一方、面板１の一方の縦縁の下半分（又は上半分）に、前記スライド溝２１に符合するスライド突起１３を設けて、前記スライド溝２１にスライド突起１３を差し込んでスライドさせることによって、柄部２に対して面板１を着脱可能に構成することができる。前記スライド溝２１は首部２１ａより奥の胴部２１ｂを広くし、当然、前記スライド突起１３もそれに対応する形状とし、縦方向にのみスライド可能にし、横方向に引っ張っても抜けない形状とする。
【００２１】
図４は本考案の別の実施の形態を示す図である。
【００２２】
略顔面の幅に対応したフレーム１１の左右の両端に面板保持部材１２が支持される。また、前記フレーム１１の左右いずれか一方（多くの場合右側）のから下方に延伸して、柄部２が設けられる。
【００２３】
前記面板１は、前記左右の面板保持部材１２に支持される。ここで前記フレーム１１の左右の面板保持部材１２の距離（フレーム１１の長さ）は面板１より若干狭くしておく。この状態で、透明プラスチックの面板１を少し湾曲させて弾性を持たせた状態で、前記面板保持部材１２の間に差し込むことによって、簡単に着脱できるようにする。従って、前記面板保持部材１２は弾性に従って延びようとする面板１を受け止める形状にする。例えば前記フレーム１１に対して前面にフック状に突き出す形状等が考えられる。
【００２４】
前記において、フレーム１１を直線状としたが、前記湾曲された面板１と同じ曲率を持つ形状にしてもよいことはもちろんである。
【産業上の利用可能性】
【００２５】
以上説明したように、本考案はクライアントの手を汚さずに前髪をカットできるので、理容・美容業界に広く使用される可能性がある。
【符号の説明】
【００２６】
１    面板
１１    横軸
２    柄部
１１    フレーム
１２    面板保持部材
１３    スライド突起
２１    スライド溝記
２１ａ  首部
２１ｂ  胴部
【図１】
0003228101.tif 000003
【図２】
0003228101.tif 000004
【図３】
0003228101.tif 000005
【図４】
0003228101.tif 000006
【図５】
0003228101.tif 000007